(57)【要約】【課題】所望の曲率で簡単に湾曲させてその形状を安定して保つことができ、保管等の際には嵩張らないように真っ直ぐに伸ばすことができるトンネル支柱用アーチパイプと、これを用いたトンネル支柱を提供する。【解決手段】合成樹脂製のパイプ１であって、円筒部１ａと湾曲自在な蛇腹状筒部１ｂを交互に連成した構成のトンネル支柱用アーチパイプ１とする。トンネル支柱は、アーチパイプ１を略円弧状に湾曲させ、このアーチパイプ１の両端に脚柱２，２を接続した構成とする。【選択図】  図３
2004229572.tif 000002
【特許請求の範囲】
【請求項１】
合成樹脂製のパイプであって、円筒部と湾曲自在な蛇腹状筒部を交互に連成したことを特徴とするトンネル支柱用アーチパイプ。
【請求項２】
円筒部の外径と蛇腹状筒部の環状山部の外径が同一である請求項１に記載のトンネル支柱用アーチパイプ。
【請求項３】
両端に継手部を形成した請求項１又は請求項２に記載のトンネル支柱用アーチパイプ。
【請求項４】
請求項１ないし請求項３のいずれかに記載されたトンネル支柱用アーチパイプを略円弧状に湾曲させ、このアーチパイプの両端に脚柱を接続したことを特徴とするトンネル支柱。
【発明の詳細な説明】
【０００１】
【発明の属する技術分野】
本発明は、トンネルハウスのフィルムを支持するトンネル支柱と、そのトンネル支柱用アーチパイプに関する。
【０００２】
【従来の技術】
この種のトンネル支柱として、相対向する２本の支柱本体の上端に湾曲桟の両端を接続して連結一体化した逆Ｕ字形のトンネル支柱が知られている（例えば特許文献１，２）。
【０００３】
また、本出願人は、長尺の帯板材をその幅方向の端部をラップさせた状態で螺旋状に巻回して芯材を形成し、この芯材を合成樹脂で被覆してなる湾曲自在な農園芸用支柱を既に提案した（特許文献３）。
【０００４】
【特許文献１】
実開昭５６−１８０５３号公報（第１頁，第１図）
【特許文献２】
実開昭４８−３２５４３号公報（第１頁，第１図）
【特許文献３】
実公平５−１０５９６号公報（第１頁，第１図，第３図）
【０００５】
【発明が解決しようとする課題】
しかしながら、上記特許文献１，２のトンネル支柱はいずれも、湾曲桟が予め円弧状に曲げ加工され、自由に湾曲させることができないものであるため、２本の脚柱の開き角度が常に一定であり、開き角度を自由に調節できないという問題があった。また、湾曲桟を真っ直ぐに伸ばすことができないため、包装、運搬、保管の際に嵩張るという問題もあった。
【０００６】
一方、上記特許文献３の農園芸用支柱は、芯材が帯板材を螺旋状に巻回したものであるため湾曲自在であり、上記の問題は生じない。けれども、湾曲させるときには合成樹脂の被覆層が伸長し、真っ直ぐに伸ばすときには合成樹脂の被覆層が収縮するため、この伸縮によって合成樹脂の被覆が破損し、破損部分からの水分の侵入によって芯材が発錆する心配があった。
【０００７】
本発明は、これらの問題を解決し得るトンネル支柱と、そのトンネル支柱用アーチパイプを提供することを目的とする。
【０００８】
【課題を解決するための手段】
上記目的を達成するため、本発明に係るトンネル支柱用アーチパイプは、合成樹脂製のパイプであって円筒部と湾曲自在な蛇腹状筒部を交互に連成したことを特徴とするものである。
【０００９】
このようなトンネル支柱用アーチパイプは、蛇腹状筒部が湾曲自在であるため略円弧状に簡単に湾曲させることができ、材質が合成樹脂であるので発錆することもない。また、包装、運搬、保管の際には真っ直ぐに伸ばせるので嵩張ることもない。
【００１０】
従って、このトンネル支柱用アーチパイプを略円弧状に湾曲させて両端に脚柱を接続した本発明のトンネル支柱は、該アーチパイプの曲率を変えることによって双方の脚柱の開き角度を自由に調節することができ、また、アーチパイプと脚柱を分離してアーチパイプを真っ直ぐに伸ばした状態で包装、運搬、保管できるので嵩張ることもない。
【００１１】
ところで、アーチパイプが全体にわたって蛇腹状に形成されていると、腰が弱くてねじれたり、略円弧状に湾曲した形状を保つことが困難であるが、本発明のアーチパイプのように、円筒部と湾曲自在な蛇腹状筒部を交互に連成されていると、腰が強くなってねじれ難くなると共に、略円弧状に湾曲した形状を安定して保つことができるようになる。
【００１２】
本発明のトンネル支柱用アーチパイプにおいては、円筒部の外径と蛇腹状筒部の環状山部の外径を同一にすることが望ましく、このようにすると一種類のフィルム固定部品を共用して、被覆フィルムを蛇腹状筒部および円筒部のいずれにも固定することができる。
【００１３】
また、本発明のトンネル支柱用アーチパイプにおいては、両端に継手部を形成することが望ましく、このようにすると脚柱の接続作業や分離作業を容易に行うことができる。
【００１４】
【発明の実施の形態】
以下、図面を参照して本発明の具体的な実施形態を詳述する。
【００１５】
図１は本発明の一実施形態に係るトンネル支柱用アーチパイプの正面図、図２は同アーチパイプの部分断面図、図３は地面に植設した本発明の一実施形態に係るトンネル支柱の正面図、図４は同トンネル支柱のアーチパイプに対する被覆フィルムの取付構造を示す断面図である。
【００１６】
図１に示すトンネル支柱用アーチパイプ１（以下、単にアーチパイプという）１は熱可塑性の合成樹脂で成形されたものであって、円筒部１ａと湾曲自在な蛇腹状筒部１ｂが交互に連成されている。材料の合成樹脂としては、耐候性や成形性が良好で、有害な塩素等を含まないポリエチレン、ポリプロピレンなどのオレフィン系樹脂が好ましく使用される。
【００１７】
蛇腹状筒部１ｂの蛇腹形状は特に限定されないが、蛇腹状筒部１ｂの環状山部１１ｂの頂上部分が尖った形状であると、後述するように被覆フィルムを被せたときに、環状山部１１ｂの尖った頂上部分によって被覆フィルム４が傷ついたり破れたりする恐れがあるので、環状山部１１ｂの頂上部分は丸みを付けるか、又は平坦面を有するように形成することが望ましい。
【００１８】
また、蛇腹状筒部１ｂの環状山部１１ｂの外径は、円筒部１ａの外径と同一にすることが望ましく、このように環状山部１１ｂと円筒部１ａの外径が同一であると、図４に示すような略半環状のフィルム固定部品３を弾性的に外嵌着することによって、被覆フィルム４を円筒部１ａおよび蛇腹状筒部１ｂのいずれにも固定することが可能となる。
【００１９】
このアーチパイプ１の両端の円筒部１ａ，１ａの先端には、ソケット状の雌形の継手部１ｃ，１ｃが一体形成されており、されらの継手部１ｃ，１ｃに脚柱を差込むことによって簡単に接続できるようになっている。尚、上記の雌形の継手部１ｃ，１ｃに代えて、脚柱に挿入する雄形の継手部を形成してもよいことはいうまでもない。
【００２０】
このようなアーチパイプ１は、前述した材料の合成樹脂をブロー成形等の手段で成形することにより、効率良く量産することができる。
【００２１】
上記構成のアーチパイプ１は、蛇腹状筒部１ｂが湾曲自在であるため、図３に示すように略円弧状に簡単に湾曲させることができ、包装、運搬、保管の際には真っ直ぐに伸ばせるので嵩張ることがない。そして、材質が合成樹脂であるから発錆する心配もない。また、円筒部と蛇腹状筒部を交互に連成されているので、アーチパイプ１の腰が強くなってねじれ難くなると共に、略円弧状に湾曲した形状を安定して保つことが可能となる。
【００２２】
図３に示す本発明のトンネル支柱は、上記のアーチパイプ１を略円弧状に湾曲させ、その両端の継手部１ｃ，１ｃに脚柱２，２の上端を差込み接続してなる逆Ｕ字形の支柱である。
【００２３】
脚柱２としては、金属パイプを合成樹脂で被覆した錆難い樹脂被覆パイプや、更に外周面に節部２ａを形成した図３に示すような竹に似た外観を有する樹脂被覆パイプなどが好ましく使用される。尚、これらの樹脂被覆パイプからなる脚柱２の下端には、水や土の侵入を防止するキャップ２ｂを取り付けることが好ましい。
【００２４】
このようなトンネル支柱は、例えば図３に示すように畝５を跨いだ状態で双方の脚柱２，２の下端部を地面に突き刺すことによって立設し、その上から被覆フィルムを被せて、図４に示すようにフィルム固定部品３により被覆フィルム４をアーチパイプ１や脚柱２，２に固定して栽培用のトンネルを造るものであるが、その際、アーチパイプ１の曲率を変えることにより、双方の脚柱２，２の開き角度を自由に調節して、畝５の幅に合致させることができるため、すこぶる便利である。
【００２５】
また、このようなトンネル支柱は、アーチパイプ１と脚柱２，２を分離し、アーチパイプ１を真っ直ぐに伸ばした状態で包装、出荷、運搬、保管できるので、嵩張ることがなく省スペースの観点からも有利である。
【００２６】
【発明の効果】
以上の説明から明らかなように、本発明のアーチパイプは錆びる心配がなく、所望の曲率で簡単に湾曲させてその形状を安定して保つことができ、嵩張らないように真っ直ぐに伸ばすこともできるといった効果を奏する。従って、このアーチパイプの両端に脚柱を接続した本発明のトンネル支柱は、アーチパイプの曲率を変えることによって双方の脚柱の開き角度を自由に調節でき、また、嵩張らないようにアーチパイプと脚柱を分離してアーチパイプを真っ直ぐに伸ばした状態で包装、運搬、保管等を行うことができるといった効果を奏する。
【図面の簡単な説明】
【図１】本発明の一実施形態に係るトンネル支柱用アーチパイプの正面図である。
【図２】同アーチパイプの部分断面図である。
【図３】地面に植設した本発明の一実施形態に係るトンネル支柱の正面図である。
【図４】同トンネル支柱のアーチパイプに対する被覆フィルムの取付構造を示す断面図である。
【符号の説明】
１  トンネル支柱用アーチパイプ
１ａ  円筒部
１ｂ  蛇腹状筒部
１１ｂ  蛇腹状筒部の環状山部
１ｃ  継手部
２  脚柱
２ａ  脚柱の節部
３  フィルム固定部品
４  被覆フィルム
【図１】
2004229572.tif 000003
【図２】
2004229572.tif 000004
【図３】
2004229572.tif 000005
【図４】
2004229572.tif 000006